(57)【要約】【課題】効率的に光沢を表す量を取得することができる装置を提供することを課題とする。【解決手段】原稿ＯＲ１からの反射光の所定方向（法線Ｌ１１の方向）における拡散反射成分Ｌ１４をイメージセンサー１６０へ導く拡散反射受光光学系１４４と、原稿ＯＲ１からの反射光の正反射成分Ｌ１３を該イメージセンサー１６０へ導く正反射受光光学系（１５０，１４４）と、を選択可能に設け、拡散反射受光光学系１４４が選択された場合、当該拡散反射受光光学系１４４で導かれる前記原稿ＯＲ１からの反射光の拡散反射成分Ｌ１４をイメージセンサー１６０で受光して光電変換し、前記原稿ＯＲ１の拡散反射像を表す画像ＩＭ２を読み取る一方、正反射受光光学系が選択された場合、当該正反射受光光学系で導かれる前記原稿ＯＲ１からの反射光の正反射成分Ｌ１３をイメージセンサー１６０で受光して光電変換し、前記原稿ＯＲ１の正反射像を表す画像ＩＭ１を読み取る。【選択図】図１
2010245918.tif 000002
【特許請求の範囲】
【請求項１】
光源を有し、所定の読取位置にある原稿に対する照射位置を変更しながら該原稿の表面へ前記光源からの光を斜めに照射する光照射手段と、
この光照射手段で照射された原稿からの反射光の所定方向における拡散反射成分を導く拡散反射受光光学系と、前記光照射手段で照射された原稿からの反射光の正反射成分を導く正反射受光光学系と、を有する受光光学系と、
この受光光学系で導かれた反射光を受光して光電変換するイメージセンサーと、
このイメージセンサーへ反射光を導く受光光学系を前記拡散反射受光光学系にするか前記正反射受光光学系にするかを選択可能な受光光学系選択手段とを備え、
前記拡散反射受光光学系が選択された場合には前記原稿の拡散反射像を表す画像を読み取る一方、前記正反射受光光学系が選択された場合には前記原稿の正反射像を表す画像を読み取ることを特徴とする画像読取装置。
【請求項２】
前記正反射受光光学系は、当該正反射受光光学系でもある前記拡散反射受光光学系の光路に進入して前記原稿からの反射光の正反射成分を前記イメージセンサーへ導かせる進入位置と、当該光路から退避した退避位置と、へ移動可能な光路変更光学系を有し、
前記受光光学系選択手段は、前記光路変更光学系を前記進入位置へ移動させるか前記退避位置へ移動させるかを選択可能とされていることを特徴とする請求項１に記載の画像読取装置。
【請求項３】
前記光路変更光学系は、前記進入位置で前記拡散反射受光光学系の光路の途中を遮断する遮断部と、前記進入位置で前記原稿からの反射光の正反射成分を通過させるレンズアレイと、このレンズアレイを通過した反射光の正反射成分を前記拡散反射受光光学系の光路の途中へ導く反射光学系とを備えることを特徴とする請求項２に記載の画像読取装置。
【請求項４】
前記読取位置で原稿を載置する透明板と、
この透明板に原稿が載置されていない状態で前記正反射受光光学系により導かれた反射光の正反射成分を受光した前記イメージセンサーにより生成される電気信号から前記透明板による正反射像を表すブランク画像データを生成するブランク画像生成手段と、
前記透明板に原稿が載置されている状態で前記正反射受光光学系により導かれた反射光の正反射成分を受光した前記イメージセンサーにより生成される電気信号から補正前の正反射像を表す補正前画像データを生成する補正前画像生成手段と、
前記ブランク画像データに基づいて前記補正前画像データを補正することにより前記透明板による正反射成分の影響を少なくさせた正反射像を表す画像データを生成する補正画像生成手段とをさらに備えることを特徴とする請求項１〜請求項３のいずれか一項に記載の画像読取装置。
【請求項５】
前記原稿を前記読取位置にするとともに前記光照射手段による光が照射する箇所に開口が形成された原稿台をさらに備え、
前記光照射手段は、前記開口を通して前記原稿の表面へ光を斜めに照射し、
前記正反射受光光学系は、前記開口を通った前記原稿からの反射光の正反射成分を前記イメージセンサーへ導くことを特徴とする請求項１〜請求項３のいずれか一項に記載の画像読取装置。
【請求項６】
前記光照射手段は、前記読取位置にある原稿を移動させて該原稿に対する照射位置を変更させる原稿送り手段を有することを特徴とする請求項１〜請求項５のいずれか一項に記載の画像読取装置。
【請求項７】
前記読取位置で原稿を載置する原稿台をさらに備え、
前記光照射手段は、前記原稿台の上から前記原稿へ光を照射することを特徴とする請求項１に記載の画像読取装置。
【請求項８】
前記正反射受光光学系で導かれた反射光の正反射成分を受光した前記イメージセンサーにより生成される電気信号から機器独立色空間で規定され前記原稿の正反射像を表す測色データを生成する測色データ生成手段をさらに備えることを特徴とする請求項１〜請求項７のいずれか一項に記載の画像読取装置。
【請求項９】
前記光源は、点光源とされ、
前記光照射手段は、前記読取位置にある原稿に対して前記点光源からの光を主走査方向及び副走査方向へ走査させながら該原稿に照射することを特徴とする請求項１〜請求項８のいずれか一項に記載の画像読取装置。
【請求項１０】
所定の読取位置にある原稿に対する照射位置を変更しながら該原稿の表面へ光源からの光を斜めに照射し、
照射した原稿からの反射光の所定方向における拡散反射成分をイメージセンサーへ導く拡散反射受光光学系と、照射した原稿からの反射光の正反射成分を該イメージセンサーへ導く正反射受光光学系と、を選択可能に設け、
前記拡散反射受光光学系が選択された場合、当該拡散反射受光光学系で導かれる前記原稿からの反射光の拡散反射成分を前記イメージセンサーで受光して光電変換し、前記原稿の拡散反射像を表す画像を読み取る一方、
前記正反射受光光学系が選択された場合、当該正反射受光光学系で導かれる前記原稿からの反射光の正反射成分を前記イメージセンサーで受光して光電変換し、前記原稿の正反射像を表す画像を読み取ることを特徴とする画像読取方法。
【発明の詳細な説明】
【技術分野】
【０００１】
本発明は、画像読取装置及び画像読取方法に関する。
【背景技術】
【０００２】
印刷物等の光沢度の測定は、日本工業規格JIS Z8741-1997（鏡面光沢度−測定方法）に規定されている。鏡面光沢度の測定装置は、点光源から光束を発し、第一の凸レンズ、光源側開口、及び、第二の凸レンズを介して印刷物等の試料上に光束を投影し、鏡面反射（正反射）方向に配置された第三の凸レンズ及び受光器側開口を介して反射光束を受光器で測る。一度に光沢度を測ることができるのは、試料上の一箇所のみである。
なお、反射物体色の測定は、JIS Z8722：2000（色の測定方法−反射及び透過物体色）に規定されている。照明及び受光の幾何学的条件は、鏡面反射、すなわち、光沢が測色結果に影響しないようにした条件とされている。該条件の一つとして、４５−０方式が規定されている。４５−０方式は、試料面の法線に対して光軸が４５±２°の角度をなす一つ以上の光線束で試料を照明し、試料の法線とのなす角度が１０°以下の方向の反射光を受光する条件とされている。イメージスキャナーは、４５−０方式又はこれに近い方式で原稿の拡散反射像を表す画像を読み取っており、原稿の光沢の影響を排除するようにして読取画像を生成する。
【０００３】
特許文献１には、測色時に第１、第２の照明光学系を照明光学系として使用し、光沢測定時に矩形状の視野絞りを第１の照明光学系に挿入して第２の照明光学系を受光光学系の一部として使用する色彩・光沢度測定装置が記載されている。この装置も、一度に光沢度を測ることができるのは、試料上の一箇所のみである。
【先行技術文献】
【特許文献】
【０００４】
【特許文献１】特開平８−２９２５８号公報
【発明の概要】
【発明が解決しようとする課題】
【０００５】
上述した光沢度測定装置は、試料上の多数の箇所について光沢度といった光沢を表す量を取得するのが容易ではない。また、イメージスキャナーは、原稿の光沢が影響しないように画像を読み取るため、原稿上の光沢を表す量を取得することができない。
【０００６】
以上を鑑み、本発明は、効率的に光沢を表す量を取得することができる装置を提供することを目的としている。
【課題を解決するための手段】
【０００７】
上記目的を達成するため、本発明の画像読取装置は、光源を有し、所定の読取位置にある原稿に対する照射位置を変更しながら該原稿の表面へ前記光源からの光を斜めに照射する光照射手段と、この光照射手段で照射された原稿からの反射光の所定方向における拡散反射成分を導く拡散反射受光光学系と、前記光照射手段で照射された原稿からの反射光の正反射成分を導く正反射受光光学系と、を有する受光光学系と、この受光光学系で導かれた反射光を受光して光電変換するイメージセンサーと、このイメージセンサーへ反射光を導く受光光学系を前記拡散反射受光光学系にするか前記正反射受光光学系にするかを選択可能な受光光学系選択手段とを備え、前記拡散反射受光光学系が選択された場合には前記原稿の拡散反射像を表す画像を読み取る一方、前記正反射受光光学系が選択された場合には前記原稿の正反射像を表す画像を読み取ることを特徴とする。
【０００８】
また、本発明の画像読取方法は、所定の読取位置にある原稿に対する照射位置を変更しながら該原稿の表面へ光源からの光を斜めに照射し、照射した原稿からの反射光の所定方向における拡散反射成分をイメージセンサーへ導く拡散反射受光光学系と、照射した原稿からの反射光の正反射成分を該イメージセンサーへ導く正反射受光光学系と、を選択可能に設け、前記拡散反射受光光学系が選択された場合、当該拡散反射受光光学系で導かれる前記原稿からの反射光の拡散反射成分を前記イメージセンサーで受光して光電変換し、前記原稿の拡散反射像を表す画像を読み取る一方、前記正反射受光光学系が選択された場合、当該正反射受光光学系で導かれる前記原稿からの反射光の正反射成分を前記イメージセンサーで受光して光電変換し、前記原稿の正反射像を表す画像を読み取ることを特徴とする。
【０００９】
正反射受光光学系が選択された場合、所定の読取位置にある原稿に光が照射され、原稿からの反射光の正反射成分が正反射受光光学系で導かれ、この反射光の正反射成分がイメージセンサーで受光されて、原稿の正反射像を表す画像が読み取られる。
画像読取装置に上述した正反射受光光学系及びイメージセンサーを設けることにより、原稿上の多数の箇所について光沢を表す量を画像として取得することができる。従って、本発明によれば、効率的に光沢を表す量を取得することができる装置を提供することができる。
【００１０】
ここで、上記光源には、線光源や点光源が含まれる。
原稿に対する照射位置を変更することには、原稿に対する入射光の位置を変えることにより照射位置を変更すること、原稿の位置を変えることにより照射位置を変更すること、入射光及び原稿の位置を変えることにより照射位置を変更すること、が含まれる。原稿に対する入射光の位置を変えることには、光源の位置を変えることにより入射光の位置を変えること、光源からの光の放射方向を変えることにより入射光の位置を変えること、光源以外の光学系の位置を変えることにより入射光の位置を変えること、これらの一部又は全部の組み合わせ、が含まれる。
【００１１】
前記正反射受光光学系は、当該正反射受光光学系でもある前記拡散反射受光光学系の光路に進入して前記原稿からの反射光の正反射成分を前記イメージセンサーへ導かせる進入位置と、当該光路から退避した退避位置と、へ移動可能な光路変更光学系を有していてもよい。この光路変更光学系が進入位置へ進入すると、原稿からの反射光の正反射成分がイメージセンサーへ導かれ、原稿の正反射像を表す画像が読み取られる。従って、簡易な構造で効率的に光沢を表す量を取得することができる画像読取装置を提供することができる。
【００１２】
請求項３に係る発明では、簡易な構造で効率的に光沢を表す量を取得することができる画像読取装置を提供することができる。
請求項４、請求項５、請求項７に係る発明では、より正確に光沢を表す量を取得することができる。
請求項６、請求項９に係る発明では、効率的に光沢を表す量を取得することができる具体例を提供することができる。
請求項８に係る発明では、光沢を表す量を取得する画像読取装置の利便性を向上させることができる。
【図面の簡単な説明】
【００１３】
【図１】画像読取装置１００により正反射像を表す画像ＩＭ１を読み取る様子を模式的に例示する図である。
【図２】画像読取装置１００の構成を模式的に例示する図である。
【図３】画像読取装置１００により拡散反射像を表す画像ＩＭ２を読み取る様子を模式的に例示する図である。
【図４】図３に示す光路変更光学系１５０及びその周辺を拡大した図である。
【図５】画像読取装置１００を含む画像読取システムの電気回路構成を例示するブロック図である。
【図６】画像読取装置１００の処理を例示するフローチャートである。
【図７】（ａ）は正反射像を表す画像データＤＡ１の構造を模式的に例示する図、（ｂ）はブランク画像データＤＡ２で補正前画像データＤＡ３を補正する様子を模式的に例示する図、（ｃ）は正反射像を表す測色データＤＡ４の構造を模式的に例示する図である。
【図８】変形例に係る画像読取装置の処理を示すフローチャートである。
【図９】変形例に係る画像読取装置２００の構成を模式的に示す図である。
【図１０】変形例に係る画像読取装置２００の処理を示すフローチャートである。
【図１１】変形例に係る画像読取装置２０１により正反射像を表す画像ＩＭ１を読み取る様子を模式的に示す図である。
【図１２】変形例に係る画像読取装置３００により正反射像を表す画像ＩＭ１を読み取る様子を模式的に示す図である。
【図１３】変形例に係る画像読取装置の処理を示すフローチャートである。
【図１４】変形例に係る画像読取装置４００の構成を模式的に示す図である。
【発明を実施するための形態】
【００１４】
（１）画像読取システムの構成：
図１〜図４は本発明の一実施形態に係る画像読取装置１００の構成を模式的に示し、図５は画像読取装置１００とコンピューター１０とからなる画像読取システムのブロック構成を示している。図２では、拡散反射受光光学系１４４の図示が省略されている。
本実施形態の画像読取装置１００は、本体１１０に対して原稿カバー１１２が開閉可能に取り付けられたイメージスキャナーとされている。本体１１０では、上面が開口した箱形のハウジング１１１に読取ユニット１３０、制御部１７０、等が収容され、ハウジング１１１の上面開口部に透明板（原稿台）１２０が固定されている。本実施形態のスキャナー１００は、透明板１２０の上面（原稿載置面１２１）に原稿ＯＲ１が載置され、この原稿ＯＲ１を挟んで透明板１２０上に原稿カバー１１２が載置された状態で、該原稿ＯＲ１のカラー情報を読み取る縮小結像型のカラースキャナーとされている。
【００１５】
本実施形態のスキャナー１００は、光照射手段１１８、受光光学系１４３、イメージセンサー１６０、受光光学系選択手段１１９、を備えている。光照射手段１１８は、光源１４０を有し、所定の読取位置Ｌ１にある原稿ＯＲ１に対する照射位置Ｌ２を変更しながら該原稿ＯＲ１の表面へ光源１４０からの光を斜めに照射する。受光光学系１４３は、光照射手段１１８で照射された原稿ＯＲ１からの反射光の所定方向（例えば法線Ｌ１１の方向）における拡散反射成分Ｌ１４を導く拡散反射受光光学系１４４と、光照射手段１１８で照射された原稿ＯＲ１からの反射光の正反射成分Ｌ１３を導く正反射受光光学系（１５０，１４４）と、を有している。イメージセンサー１６０は、この受光光学系１４３で導かれた反射光を受光して光電変換する。受光光学系選択手段１１９は、このイメージセンサー１６０へ反射光を導く受光光学系１４３を拡散反射受光光学系１４４にするか正反射受光光学系（１５０，１４４）にするかを選択可能とされている。そして、本スキャナー１００は、拡散反射受光光学系１４４が選択された場合には原稿ＯＲ１の拡散反射像を表す画像ＩＭ２を読み取る一方、正反射受光光学系（１５０，１４４）が選択された場合には原稿ＯＲ１の正反射像を表す画像ＩＭ１を読み取る。
【００１６】
ここで、正反射とは、光学的鏡像の法則に従う、拡散がない反射をいう。図４を参照して説明すると、原稿ＯＲ１からの反射光の正反射成分Ｌ１３は、照射位置Ｌ２における原稿ＯＲ１の照射面（下面）の法線Ｌ１１、すなわち、透明板の原稿載置面１２１の法線を基準として入射角θ１と略同じ受光角θ２となった成分の反射光をいう。入射角θ１と略同じ受光角θ２は、θ１−α１≦θ２≦θ１＋α１（α１は正の定数）の範囲内となる角度と定義することができ、例えば、α１＝１°、２°、３°、４°、５°、等とすることができる。
また、拡散反射とは、巨視的にみて反射の法則と無関係に多くの方向に光を拡散する反射をいい、肉眼で見えるような正反射がない反射をいう。原稿ＯＲ１からの反射光の所定方向における拡散反射成分は、原稿の照射面の法線Ｌ１１を基準として略所定方向となった成分の反射光をいう。図４に示すように、原稿ＯＲ１からの反射光の法線Ｌ１１の方向における拡散反射成分Ｌ１４は、法線Ｌ１１と略同じ方向となった成分の反射光である。前記所定方向の受光角をθ３とすると、略所定方向は、θ３−α２以上θ３＋α２以下（α２は正の定数）の範囲内となる角度の方向と定義することができ、例えば、α２＝１°、２°、３°、４°、５°、等とすることができる。
【００１７】
印刷物を光の正反射方向から見ると、光沢に違和感がある場合がある。特に、顔料インクで印刷を行った場合、光沢の違和感が大きくなることが判ってきた。印刷物等の試料を光の正反射方向から見たときの光沢を表す光沢度を測定する装置は、JIS Z8741-1997に規定されているものの、高価なうえ、試料上の多数の箇所について一箇所ずつ測定しなければならない。インクの色成分比や記録濃度を変えて印刷媒体に多数のパッチ（色票）を印刷することを想定すると、各パッチの光沢度を測定するのは非常に煩わしい作業となる。
一方、市販されているスキャナーは、原稿の光沢の影響を排除するため、受光角を原稿の照射面の法線方向となる角度にする等、入射角と受光角とを異ならせて原稿の拡散反射像を表す画像を読み取る。しかし、本スキャナー１００は、受光角θ２を入射角θ１に合わせることにより、原稿ＯＲ１の正反射像を表す画像ＩＭ１を読み取る。従って、本スキャナー１００は、原稿上の多数の箇所について光沢を表す量を画像として効率的に取得することができる。
【００１８】
上記透明板１２０には、透明な板ガラスを用いることができるが、透明樹脂板など、透明ガラス板以外の板材を用いることも可能である。本実施形態の透明板１２０は、上面が原稿ＯＲ１の原稿載置面１２１とされ、原稿ＯＲ１への入射光Ｌ１２が下面１２２から入射するようにされている。
【００１９】
読取ユニット１３０は、上面が開口した箱形の筐体１３１に光源１４０、照射光学系（照射側レンズアレイ１５２）、受光光学系１４３、及び、イメージセンサー１６０が収容され、読取ユニット駆動部１３２により副走査方向ＤＩ２へ往復駆動される。図２に示すように、筐体１３１の下面には、副走査方向ＤＩ２に向けて原稿載置面１２１と略平行に設けられたベルト１３２ｂの上側が固定されている。この１３２ｂはサーボモーター１３２ａの回転によって副走査方向ＤＩ２に移動するようになっており、副走査方向ＤＩ２に向けられた図示しないレールに沿って読取ユニット１３０が所定の移動速度で副走査方向ＤＩ２に移動するようになっている。むろん、スクリューねじ、ピニオンギヤ、等を用いて読取ユニットを移動させてもよい。
【００２０】
本実施形態の光照射手段１１８は、副走査方向ＤＩ２へ移動可能な読取ユニット１３０を備え、読取位置Ｌ１にある原稿ＯＲ１の表面へ光源１４０からの光を斜めに照射する。すなわち、主走査方向ＤＩ１に対する垂直断面を見たときの原稿ＯＲ１への照射方向は、原稿の照射面及び該照射面の法線Ｌ１１からずれた０°＜θ１＜９０°の方向とされている。入射角θ１は、１５〜７５°が好ましく、３０〜６０°がより好ましく、３５〜５０°がさらに好ましい。光照射手段１１８は、読取ユニット１３０を移動させて原稿ＯＲ１に対する入射光Ｌ１２の位置を変えることにより、原稿ＯＲ１に対する照射位置Ｌ２を変更する。
光源１４０は、長手方向を主走査方向ＤＩ１へ向けた線光源とされている。光源１４０の周囲には、光源１４０から原稿載置面１２１に向かって斜め上方に光を放出させるためのカバー１４１が設けられている。光源１４０には、蛍光灯、水銀灯、ＬＥＤ（発光ダイオード）、キセノンランプ、ハロゲンランプ、等を用いることができる。
【００２１】
拡散反射受光光学系１４４は、ミラー（反射光学系）１４５，１４６，１４７，１４８、結像レンズ１４９、を備えている。光路変更光学系１５０が退避位置Ｌ７にあるとき、ミラー１４５〜１４８は、原稿ＯＲ１からの反射光の所定方向（法線Ｌ１１の方向）における拡散反射成分Ｌ１４をレンズ１４９へ導く。レンズ１４９は、当該拡散反射成分Ｌ１４を縮小してイメージセンサー１６０の受光面に原稿ＯＲ１の拡散反射像を結像する。
【００２２】
受光光学系１４３は、光路変更光学系１５０と案内構造１５８を有している。光路変更光学系１５０は、拡散反射受光光学系１４４の光路ＰＡ１に進入して原稿ＯＲ１からの反射光の正反射成分Ｌ１３をイメージセンサー１６０へ導かせる進入位置Ｌ６と、当該光路ＰＡ１から退避した退避位置Ｌ７と、へ進退可能とされている。案内構造１５８は、光路変更光学系１５０を副走査方向ＤＩ２へ往復移動させるための構造とされている。これにより、光路変更光学系１５０は、退避位置Ｌ７から進入位置Ｌ６へ、及び、進入位置Ｌ６から退避位置Ｌ７へ、副走査方向ＤＩ２に移動する。
光路変更光学系１５０は、遮断部１５３ａ、受光側レンズアレイ１５４、反射光学系１５３ｂ，１５５、を備えている。遮断部１５３ａは、進入位置Ｌ６で拡散反射受光光学系１４４の光路ＰＡ１の途中を遮断する。受光側レンズアレイ１５４は、主走査方向ＤＩ１へ直線状に配列された複数の円柱形状のロッドレンズを有するロッドレンズアレイとされている。レンズアレイ１５４は、進入位置Ｌ６で原稿ＯＲ１からの反射光の正反射成分を通過させる。反射光学系１５３ｂ，１５５は、レンズアレイ１５４を通過した反射光の正反射成分Ｌ１３を拡散反射受光光学系１４４の光路ＰＡ１の途中へ導く。遮断部１５３ａとミラー部１５３ｂとは、一体化された遮断部材１５３とされている。
【００２３】
上述した各部１５３〜１５５は、照射側レンズアレイ１５２とともに、上面が開口した箱形の筐体１５１に収容されている。照射側レンズアレイ１５２は、受光側レンズアレイ１５４と同様、主走査方向ＤＩ１へ直線状に配列された複数の円柱形状のロッドレンズを有するロッドレンズアレイとされている。照射側レンズアレイ１５２は、正反射受光光学系の一部を構成する各部１５３〜１５５とともに副走査方向ＤＩ２へ往復移動可能とされている。光路変更光学系１５０が進入位置Ｌ６にある場合、レンズアレイ１５２は、原稿ＯＲ１の照射面に光源１４０からの光を等倍で結像する。一方、光路変更光学系１５０が退避位置Ｌ７にある場合、レンズアレイ１５２は使用されず、光源１４０からの光が直接原稿ＯＲ１の照射面に照射される。
【００２４】
イメージセンサー１６０は、主走査方向ＤＩ１へ直線状に配列された複数のＣＣＤ（Charge Coupled Device）センサーを有するカラーリニアセンサーとされている。イメージセンサーは、市販されているイメージスキャナーのイメージセンサーを用いてもよいし、より高精度の光量を検出可能なセンサーを用いてもよい。本実施形態のイメージセンサー１６０は、Ｒ（赤）検出用センサーの列とＧ（緑）検出用センサーの列とＢ（青）検出用センサーの列の３列からなり、原稿１ライン分の反射光のＲ，Ｇ，Ｂ各成分を検出して対応するアナログ電圧（電気信号）を生成する。
なお、イメージセンサーは、Ｃ（シアン）検出用センサーとＭ（マゼンタ）検出用センサーとＹ（イエロー）検出用センサーとからなるリニアセンサー等でもよい。
受光側レンズアレイ１５４が退避位置Ｌ７にある場合、イメージセンサー１６０は、原稿ＯＲ１からの反射光の所定方向（法線Ｌ１１の方向）における拡散反射成分Ｌ１４を受光する。一方、受光側レンズアレイ１５４が進入位置Ｌ６にある場合、イメージセンサー１６０は、原稿ＯＲ１からの反射光の正反射成分Ｌ１３を受光する。
【００２５】
図５に示すように、スキャナー１００では、制御部１７０に、操作パネル１７１、モーター制御部１７２、光源点灯駆動部１７３、光路切替駆動部１７４、アナログ／デジタル（Ａ／Ｄ）変換部１７５、インターフェイス（Ｉ／Ｆ）１７６、等が接続されている。
制御部１７０は、ＣＰＵ（Central Processing Unit）１７０ａ、半導体メモリー１７０ｂ，１７０ｃ、画像処理部１７０ｄ、等を備えている。制御部１７０は、ＲＯＭ（Read Only Memory）１７０ｂに書き込まれた画像読取プログラムに従ってＲＡＭ（Random Access Memory）１７０ｃをワークエリアとして使用しながらスキャナー全体の動作を制御する。従って、ＲＯＭ１７０ｂは画像読取プログラムを記録したコンピューター読取可能な記録媒体であり、該画像読取プログラムを外部のコンピューター読取可能な記録媒体に記録することも可能である。画像処理部１７０ｄは、Ａ／Ｄ変換部１７５から入力されるデジタル信号に対して色空間を変換する画像処理を行い、規格化されたＲＧＢ色空間で表される画像データを生成する。
【００２６】
操作パネル１７１は、操作ボタンといった操作部１７１ａ、及び、液晶表示器といった表示部１７１ｂを備え、スキャナーのユーザーから操作入力を受け付ける。
モーター制御部１７２は、読取ユニット駆動部１３２のサーボモーター１３２ａが接続され、制御部１７０の指令に従ってサーボモーター１３２ａの回転駆動を制御する。
光源点灯駆動部１７３は、光源１４０が接続され、制御部１７０の指令に従って光源１４０の点灯駆動を制御する。本実施形態の光照射手段１１８は、光源１４０及び照射側レンズアレイ１５２を含めた読取ユニット１３０、読取ユニット駆動部１３２、モーター制御部１７２、光源点灯駆動部１７３、及び、制御部１７０で構成される。
光路切替駆動部１７４は、制御部１７０の指令に従って光路変更光学系１５０を駆動する。
Ａ／Ｄ変換部１７５は、イメージセンサー１６０が接続され、該イメージセンサー１６０から入力されるアナログ電圧を対応するデジタル値に変換し、制御部１７０へ出力する。
Ｉ／Ｆ１７６は、コンピューター１０のＩ／Ｆ１７に対して情報を入出力可能に接続されている。Ｉ／Ｆ１７６，１７には、ＵＳＢ（Universal Serial Bus）等の通信規格を採用することができる。
【００２７】
スキャナー１００に接続可能なコンピューター１０は、例えば、ＣＰＵ１１、半導体メモリー１２，１３、ハードディスク（磁気ディスク）１４、入力装置１５、出力装置１６、Ｉ／Ｆ１７、等がバス１０ａに接続されたパーソナルコンピューターを用いることができる。入力装置１５は、キーボードやマウス（ポインティングデバイス）といった操作入力装置等で構成することができる。出力装置１６は、ディスプレイ等の画像出力装置や音声出力装置等で構成することができる。
【００２８】
上述した電気回路構成により、光学系選択制御部１８０、画像生成部１８１、データ出力部１８６、等の機能がスキャナー１００に実現される。光学系選択制御部１８０は、光路変更光学系１５０をどの位置Ｌ６，Ｌ７へ移動させるかの選択入力を受け付け、選択された位置へ光路変更光学系１５０を移動させる制御を行う。本実施形態の受光光学系選択手段１１９は、案内構造１５８、光路切替駆動部１７４、及び、光学系選択制御部１８０で構成され、光路変更光学系１５０を進入位置Ｌ６へ移動させるか退避位置Ｌ７へ移動させるかを選択可能とされている。画像生成部１８１は、Ａ／Ｄ変換部１７５及び制御部１７０で構成され、イメージセンサー１６０から入力されるアナログ電圧から、原稿ＯＲ１の正反射像を表す画像ＩＭ１のデータＤＡ１、又は、原稿ＯＲ１の拡散反射像を表す画像ＩＭ２のデータを生成する。データ出力部１８６は、生成された画像データをコンピューター１０等の外部の装置へ出力する。
【００２９】
（２）画像読取装置の動作、作用及び効果：
図６は、スキャナー１００の制御部１７０が行う処理を示すフローチャートである。本処理は、スキャナー１００の電源スイッチがオンになる等、スキャナー１００に電源が入ったときに行われる。
制御部１７０は、処理を開始すると、受光光学系を指定する指示が操作部１７１ａに操作入力されたか否かを判断する（ステップＳ１０２。以下、「ステップ」の記載を省略）。光路変更光学系１５０が進入位置Ｌ６にあるときに光路変更光学系１５０を退避位置Ｌ７にする指示が操作入力されると、制御部１７０は、光路変更光学系１５０を進入位置Ｌ６から退避位置Ｌ７へ移動させる指令を光路切替駆動部１７４へ出力し（Ｓ１０４）、Ｓ１０２に戻る。すると、照射側レンズアレイ１５２及び正反射成分Ｌ１３を導く各部１５３〜１５５が進入位置Ｌ６から退避位置Ｌ７へ移動する。ここで、光路変更光学系１５０が既に退避位置Ｌ７にあった場合、Ｓ１０４で光路変更光学系１５０は移動しない。
【００３０】
一方、光路変更光学系１５０が退避位置Ｌ７にあるときに光路変更光学系１５０を進入位置Ｌ６にする指示が操作入力されると、制御部１７０は、光路変更光学系１５０を退避位置Ｌ７から進入位置Ｌ６へ移動させる指令を光路切替駆動部１７４へ出力し（Ｓ１０６）、Ｓ１０２に戻る。すると、照射側レンズアレイ１５２及び正反射成分Ｌ１３を導く各部１５３〜１５５が退避位置Ｌ７から進入位置Ｌ６へ移動する。ここでも、光路変更光学系１５０が既に進入位置Ｌ６にあった場合、Ｓ１０６で光路変更光学系１５０は移動しない。
なお、Ｓ１０２〜Ｓ１０６は、光学系選択制御部１８０に対応している。
制御部１７０は、Ｓ１０２で受光光学系を指定する指示が入力されていないと判断すると、原稿ＯＲ１を読み取る指示が操作部１７１ａに操作入力されたか否かを判断する（Ｓ１０８）。原稿を読み取る指示が入力されていないと判断すると、図示しない処理を行ってＳ１０２に戻る。
【００３１】
スキャナーのユーザーは、原稿ＯＲ１をスキャナーに読み取らせる際、透明板１２０に原稿ＯＲ１を載置し、さらに、原稿カバー１１２を載置した後、原稿を読み取る指示の操作を操作部１７１ａで行うことになる。
制御部１７０は、Ｓ１０８で原稿を読み取る指示が入力されたと判断すると、光源１４０を点灯させる指令を光源点灯駆動部１７３へ出力する（Ｓ１１０）。これにより、光源１４０が点灯する。次に、読取ユニット１３０を所定の速度で副走査方向ＤＩ２（図１の右方向）へ駆動する指令をモーター制御部１７２へ出力する（Ｓ１１２）。これにより、読取ユニット１３０が所定の速度で副走査方向ＤＩ２へ移動し、読取位置Ｌ１にある原稿ＯＲ１に対する照射位置Ｌ２が副走査方向ＤＩ２へ変わりながら該原稿ＯＲ１に光が照射される。
【００３２】
光路変更光学系１５０が退避位置Ｌ７にある場合、図３に示すように、光源１４０からの光は、直接、原稿ＯＲ１への入射光Ｌ１２となる。そして、原稿ＯＲ１からの反射光の所定方向（法線Ｌ１１の方向）における拡散反射成分Ｌ１４は、ミラー１４５，１４６，１４７，１４８を反射してレンズ１４９を通過し、イメージセンサー１６０へ導かれる。反射光の拡散反射成分Ｌ１４を受光したイメージセンサー１６０は、該拡散反射成分Ｌ１４のＲ，Ｇ，Ｂ各成分を光電変換により検出して対応するアナログ電圧を生成する。Ａ／Ｄ変換部１７５は、イメージセンサー１６０から入力されるアナログ電圧から拡散反射成分Ｌ１４のＲ，Ｇ，Ｂ各成分のデジタル値を生成し、順次、制御部１７０へ出力する。制御部１７０は、当該デジタル値をＡ／Ｄ変換部１７５から入力し、画素毎にＲ，Ｇ，Ｂ各デジタル値を有する画像データを生成し、適宜、所定の画像処理を行って、コンピューター１０等の外部の装置へ出力するための画像データを生成する（Ｓ１１４）。所定の画像処理には、イメージセンサー１６０に依存する機器依存ＲＧＢ色空間を規格化されたＲＧＢ色空間に変換する処理等がある。光路変更光学系１５０が退避位置Ｌ７にある場合、生成される画像データは、原稿ＯＲ１の拡散反射像を表す画像ＩＭ２のデータとなる。
【００３３】
一方、光路変更光学系１５０が進入位置Ｌ６にある場合、図１に示すように、光源１４０からの光は、照射側レンズアレイ１５２を通過して原稿ＯＲ１への入射光Ｌ１２となる。これにより、入射光Ｌ１２の向きが揃い、イメージセンサー１６０で受光する反射光が高精度の正反射成分Ｌ１３からなる反射光となる。原稿ＯＲ１からの反射光の正反射成分Ｌ１３は、受光側レンズアレイ１５４を通過し、ミラー１５５，１５３ｂ，１４５，１４６，１４７，１４８を反射してレンズ１４９を通過し、イメージセンサー１６０へ導かれる。反射光の正反射成分Ｌ１３を受光したイメージセンサー１６０は、該正反射成分Ｌ１３のＲ，Ｇ，Ｂ各成分を光電変換により検出して対応するアナログ電圧を生成する。Ａ／Ｄ変換部１７５は、イメージセンサー１６０から入力されるアナログ電圧から正反射成分Ｌ１３のＲ，Ｇ，Ｂ各成分のデジタル値を生成し、順次、制御部１７０へ出力する。制御部１７０は、当該デジタル値をＡ／Ｄ変換部１７５から入力し、画素毎にＲ，Ｇ，Ｂ各デジタル値を有する画像データを生成し、適宜、所定の画像処理を行って、コンピューター１０等の外部の装置へ出力するための画像データを生成する（Ｓ１１４）。光路変更光学系１５０が進入位置Ｌ６にある場合、生成される画像データは、原稿ＯＲ１の正反射像を表す画像ＩＭ１のデータとなる。
【００３４】
図７（ａ）は、正反射像を表す画像データＤＡ１の構造を模式的に示している。画像データＤＡ１は、主走査方向ＤＩ１にはイメージセンサー１６０を構成する各ＣＣＤセンサーに対応した複数の画素ＰＩ１が直線状に並べられ、これらの画素ＰＩ１の組み合わせが副走査方向ＤＩ２に整然と並べられている。各画素は、Ｒ，Ｇ，Ｂの色成分毎に原稿ＯＲ１からの反射光の正反射成分Ｌ１３を表す階調値、すなわち、光沢を表す値を有している。従って、画像データＤＡ１は、原稿ＯＲ１上の多数の箇所について光沢を表す量を二次元のカラー画像として表したデータといえる。ここで、画像データＤＡ１を構成する各画素のＲ，Ｇ，Ｂ毎の階調値をJIS Z8741-1997に規定される鏡面光沢度等の光沢度に変換すれば、原稿ＯＲ１上の多数の箇所について光沢度を画像として効率的に取得することができる。
なお、拡散反射像を表す画像データは、構造としては上記画像データＤＡ１と同様であり、各画素の階調値が光沢を表す値ではなく拡散反射による色を表す値である。
【００３５】
Ｓ１１４の処理後、制御部１７０は、光源１４０を消灯させる指令を光源点灯駆動部１７３へ出力する（Ｓ１１６）。これにより、光源１４０が消灯する。そして、生成した画像データをコンピューター１０等の外部の装置へ出力し（Ｓ１１８）、Ｓ１０２に戻る。
【００３６】
以上説明したように、光路変更光学系１５０が進入位置Ｌ６にある場合、読取位置Ｌ１にある原稿ＯＲ１からの反射光の正反射成分Ｌ１３が正反射受光光学系（１５０，１４４）で導かれ、この反射光の正反射成分Ｌ１３がイメージセンサー１６０で受光されて、原稿ＯＲ１の正反射像を表す画像ＩＭ１が読み取られる。これにより、本実施形態の画像読取装置は、原稿ＯＲ１上の多数の箇所について光沢を表す量を画像として取得することができ、光沢を表す量を効率的に、すなわち、単位時間当たり多数箇所について取得することができる。また、以下の効果も得られる。
１．市販されているイメージスキャナーの受光光学系を利用して本実施形態の画像読取装置を構成することができるので、市販されているイメージスキャナーからの転用設計が容易である。
２．正反射方向における光量と非正反射方向における光量とを同一の画像読取装置で取得することができる。
３．イメージセンサーによる計測量を画像データに変換して画像表現することにより、受光角の違いによる色、光沢、等の変化を直感的に把握することができる。
４．照射方向や観測方向により色が変化して見えるフロップ効果を表す量の測定についても、正反射方向と非正反射方向とで受光角を変えて単位時間当たり多数箇所について画像として効率的に取得することができる。
【００３７】
なお、上述した実施形態により、本発明の画像読取装置は、
光源を有し、所定の読取位置にある原稿に対する照射位置を変更しながら該原稿の表面へ前記光源からの光を斜めに照射する光照射手段と、
この光照射手段で照射された原稿からの反射光の所定方向における拡散反射成分を導く拡散反射受光光学系と、
この拡散反射受光光学系で導かれた反射光を受光して光電変換するイメージセンサーと、
前記拡散反射受光光学系の光路に対して進退可能とされ、当該拡散反射受光光学系の光路に進入したときに前記原稿からの反射光の正反射成分を前記イメージセンサーへ導かせる光路変更光学系とを備え、
前記光路変更光学系が前記拡散反射受光光学系の光路から退避している場合には前記原稿の拡散反射像を表す画像を読み取る一方、前記光路変更光学系が前記拡散反射受光光学系の光路へ進入している場合には前記原稿の正反射像を表す画像を読み取る側面を有する。
【００３８】
また、本発明の画像読取方法は、
所定の読取位置にある原稿に対する照射位置を変更しながら該原稿の表面へ光源からの光を斜めに照射し、
照射した原稿からの反射光の所定方向における拡散反射成分をイメージセンサーへ導く拡散反射受光光学系と、この拡散反射受光光学系の光路に対して進退可能とされた光路変更光学系であって当該拡散反射受光光学系の光路に進入したときに前記原稿からの反射光の正反射成分を前記イメージセンサーへ導かせる光路変更光学系とを設け、
前記光路変更光学系が前記拡散反射受光光学系の光路から退避している場合、前記拡散反射受光光学系で導かれる前記原稿からの反射光の拡散反射成分を前記イメージセンサーで受光して光電変換し、前記原稿の拡散反射像を表す画像を読み取る一方、
前記光路変更光学系が前記拡散反射受光光学系の光路へ進入している場合、前記光路変更光学系及び前記拡散反射受光光学系で導かれる前記原稿からの反射光の正反射成分を前記イメージセンサーで受光して光電変換し、前記原稿の正反射像を表す画像を読み取る側面を有する。
【００３９】
光路変更光学系が拡散反射受光光学系の光路へ進入している場合、原稿からの反射光の正反射成分が光路変更光学系及び拡散反射受光光学系で導かれ、この反射光の正反射成分がイメージセンサーで受光されて、原稿の正反射像を表す画像が読み取られる。このように、原稿上の多数の箇所について光沢を表す量を画像として取得することができるので、効率的に光沢を表す量を取得することができる。
【００４０】
（３）変形例：
本発明の画像読取装置は、プリンターと一体化された複合機、複写機と一体化された複合機、ファクシミリと一体化された複合機、コンピューターと一体化された装置、等、様々な構成が可能である。また、画像読取装置は、縮小結像型の装置のみならず、等倍結像型の装置等でもよい。
図６で示した処理の各ステップの順番は、適宜、変更可能である。例えば、Ｓ１１８の画像データを出力する処理の後にＳ１１６の光源を消灯する処理を行ってもよい。
拡散反射受光光学系により導く反射光の拡散反射成分は、法線方向の成分のみならず、法線以外の方向の成分でもよい。むろん、拡散反射受光光学系は、複数の受光角の中から拡散反射成分を導く受光角を選択可能とされてもよい。また、拡散反射受光光学系自体が複数設けられてもよい。
受光光学系選択手段は、手動で光路変更光学系１５０を移動させる手段でもよい。例えば、光路変更光学系の筐体１５１に操作部を設けておけば、この操作部をスキャナーのユーザーが副走査方向ＤＩ２へ操作することにより光路変更光学系１５０の位置を手動で変えることができる。
【００４１】
読取位置Ｌ１で透明板１２０に原稿ＯＲ１を載置し、光照射手段１１８が透明板１２０の下から原稿ＯＲ１の表面へ光を照射する場合、透明板１２０の内部において載置面１２１で反射する光を考慮すると、原稿の光沢を表す量の測定精度を向上させることができる。
【００４２】
図８は、変形例に係る画像読取装置で行われる処理をフローチャートにより示している。図５を参照して説明すると、本変形例に係るイメージスキャナーは、画像生成部１８１に、ブランク画像生成部（ブランク画像生成手段）１８２、補正前画像生成部（補正前画像生成手段）１８３、補正画像生成部（補正画像生成手段）１８４、を備えている。ここで、ブランク画像生成部１８２はＳ２０４に対応し、補正前画像生成部１８３はＳ２０８に対応し、補正画像生成部１８４はＳ２１０に対応している。また、原稿カバー１１２の下面、すなわち、透明板１２０に接触可能な面は、光をほぼ反射させない素材（例えば黒色のマット紙）とされているものとする。
【００４３】
図７（ｂ）は、ブランク画像データＤＡ２で補正前画像データＤＡ３を補正する様子を模式的に示している。
ブランク画像生成部１８２は、透明板１２０に原稿ＯＲ１が載置されていない状態でイメージセンサー１６０により生成される電気信号から透明板１２０による正反射像を表すブランク画像データＤＡ２を生成する。ブランク画像データＤＡ２は、主走査方向ＤＩ１に対応する方向及び副走査方向ＤＩ２に対応する方向に画素ＰＩ１が整然と並べられ、画素毎にＲ，Ｇ，Ｂ各色成分の透明板１２０による反射光の正反射成分を表す階調値を有している。
【００４４】
補正前画像生成部１８３は、透明板１２０に原稿ＯＲ１が載置されている状態でイメージセンサー１６０により生成される電気信号から補正前の正反射像を表す補正前画像データＤＡ３を生成する。補正前画像データＤＡ３は、ブランク画像データＤＡ２と同様に画素ＰＩ１が整然と並べられ、画素毎にＲ，Ｇ，Ｂ各色成分の透明板１２０及び原稿ＯＲ１による反射光の正反射成分を表す階調値を有している。
補正画像生成部１８４は、ブランク画像データＤＡ２に基づいて補正前画像データＤＡ３を補正することにより透明板１２０による正反射成分の影響を少なくさせた正反射像を表す画像データＤＡ１を生成する。
【００４５】
図８のＳ１０２〜Ｓ１０６の処理は、図６の処理と同じであるので、説明を省略する。制御部１７０は、Ｓ１０２で条件不成立の場合、ブランク画像を読み取る指示が操作部１７１ａに操作入力されたか否かを判断する（Ｓ２０２）。スキャナーのユーザーは、ブランク画像をスキャナーに読み取らせる際、透明板１２０に原稿を載置していない状態で原稿カバーを載置した後、ブランク画像を読み取る指示の操作を操作部１７１ａで行うことになる。条件成立時、ブランク画像データＤＡ２を生成して例えばＲＡＭ１７０ｃに記憶する処理を行い（Ｓ２０４）、Ｓ１０２に戻る。
Ｓ２０４では、光源１４０を点灯させ、読取ユニット１３０を所定の速度で副走査方向ＤＩ２へ移動させ、Ａ／Ｄ変換部１７５からデジタル値を入力して、画素毎にＲ，Ｇ，Ｂ各デジタル値を有する画像データを生成する。光路変更光学系１５０が進入位置Ｌ６にある場合、生成される画像データは、原稿ＯＲ１が載置されていない透明板１２０による正反射像を表すブランク画像データＤＡ２となる。
【００４６】
Ｓ２０２で条件不成立の場合、制御部１７０は、原稿ＯＲ１を読み取る指示が操作部１７１ａに操作入力されたか否かを判断する（Ｓ２０６）。条件不成立の場合、図示しない処理を行ってＳ１０２に戻る。
スキャナーのユーザーは、原稿をスキャナーに読み取らせる際、透明板１２０に原稿ＯＲ１を載置した状態で原稿カバー１１２を載置した後、原稿を読み取る指示の操作を操作部１７１ａで行うことになる。
制御部１７０は、Ｓ２０２で条件成立の場合、補正前画像データＤＡ３を生成する（Ｓ２０８）。Ｓ２０８では、光源１４０を点灯させ、読取ユニット１３０を所定の速度で副走査方向ＤＩ２へ移動させ、Ａ／Ｄ変換部１７５からデジタル値を入力して、画素毎にＲ，Ｇ，Ｂ各デジタル値を有する画像データを生成する。光路変更光学系１５０が進入位置Ｌ６にある場合、生成される画像データは、透明板１２０に原稿ＯＲ１が載置されている状態で得られる補正前の正反射像を表す補正前画像データＤＡ３となる。
【００４７】
Ｓ２１０では、ブランク画像データＤＡ２に基づいて補正前画像データＤＡ３を補正することにより正反射像を表す画像データＤＡ１を生成する。図７（ｂ）に示すように、ブランク画像データＤＡ２の各画素の階調値を（Ｒ０，Ｇ０，Ｂ０）、補正前画像データＤＡ３の各画素の階調値を（Ｒ１，Ｇ１，Ｂ１）とすると、補正後の画像データＤＡ１の階調値（Ｒ，Ｇ，Ｂ）は、例えば（Ｒ１−Ｒ０，Ｇ１−Ｇ０，Ｂ１−Ｇ０）とすることができる。このようにして、生成される画像データＤＡ１は、透明板１２０による正反射成分の影響を少なくさせた画像データとされる。
その後、制御部１７０は、生成された画像データＤＡ１を外部の装置へ出力し（Ｓ２１２）、Ｓ１０２に戻る。
【００４８】
図９に示す画像読取装置のように、所定の読取位置Ｌ１にある原稿ＯＲ１を移動させて該原稿ＯＲ１に対する照射位置Ｌ２を変更させる原稿送り部（原稿送り手段）２４０を設けてもよい。本変形例のイメージスキャナー２００は、読取ユニット１３０が移動せず、原稿送り部２４０が原稿ＯＲ１を副走査方向ＤＩ３へ送ることにより、原稿ＯＲ１に対する照射位置Ｌ２を変更しながら該原稿ＯＲ１に光を照射する。
本実施形態の原稿送り部２４０は、シートガイド２４１、ローラー２４２、ローラー駆動部２４３、を備えている。シートガイド２４１は、原稿ＯＲ１をローラー２４２へ送り込むため本体１１０から斜め上方へ立ち上がった部材であり、原稿ＯＲ１の給紙位置に設けられた部材である。ローラー２４２は、透明板１２０の上面１２１において主走査方向ＤＩ１を回転軸として自転することにより原稿ＯＲ１を副走査方向ＤＩ３へ送る。ローラー駆動部２４３は、制御部１７０からの指令に従ってローラー２４２を回転駆動する。
【００４９】
図１０は、スキャナー２００で行われる処理をフローチャートにより示している。制御部１７０は、Ｓ１１０で光源１４０を点灯すると、ローラー２４２を所定の回転方向（原稿ＯＲ１を図９の右方向へ送る方向）へ駆動する指令をローラー駆動部２４３へ出力する（Ｓ２２２）。これにより、ローラー２４２が所定の回転速度で回転し、読取位置Ｌ１にある原稿ＯＲ１が所定の速度で副走査方向ＤＩ３へ移動し、読取位置Ｌ１にある原稿ＯＲ１に対する照射位置Ｌ２が副走査方向ＤＩ３へ変わりながら該原稿ＯＲ１に光が照射される。
【００５０】
光路変更光学系１５０が進入位置Ｌ６にあるとき、光源１４０からの光は照射側レンズアレイ１５２を通過して原稿ＯＲ１を照射し、原稿ＯＲ１からの反射光の正反射成分Ｌ１３が受光側レンズアレイ１５４を通過してイメージセンサー１６０へ導かれる。これにより、反射光の正反射成分Ｌ１３が光電変換され、読取位置Ｌ１にある原稿ＯＲ１の正反射像を表す画像データが生成される（Ｓ１１４）。従って、本変形例でも、効率的に光沢を表す量を取得することができる。
なお、読取ユニット１３０も副走査方向ＤＩ２へ移動可能とし、原稿送り部２４０で原稿を送るのと同時に読取ユニット１３０を移動させることにより原稿ＯＲ１に対する照射位置Ｌ２を変更するようにしてもよい。
【００５１】
図１１に示す画像読取装置のように、原稿ＯＲ１の照射位置Ｌ２に合わせて透明板（原稿台）１２０に開口２２０を形成してもよい。本変形例のイメージスキャナー２０１の透明板１２０は、原稿ＯＲ１を所定の読取位置Ｌ１にするとともに、光照射手段１１８による光が照射する箇所に開口２２０が形成されている。光照射手段１１８は、透明板１２０の下から開口２２０を通して原稿ＯＲ１の表面へ光を斜めに照射する。受光光学系１４３は、開口２２０を通った原稿ＯＲ１からの反射光をイメージセンサー１６０へ導く。本変形例のスキャナー２０１は、図９で示したスキャナー２００のように、読取ユニット１３０が移動せず、原稿送り部２４０が原稿ＯＲ１を副走査方向ＤＩ３へ送ることにより、原稿ＯＲ１に対する照射位置Ｌ２を変更しながら該原稿ＯＲ１に光を照射する。
【００５２】
光路変更光学系１５０が進入位置Ｌ６にあるとき、光源１４０からの光は照射側レンズアレイ１５２を通過し開口２２０を通して原稿ＯＲ１を照射する。開口２２０を通った原稿ＯＲ１からの反射光の正反射成分Ｌ１３は、受光側レンズアレイ１５４を通過してイメージセンサー１６０へ導かれる。これにより、透明板１２０を透過せず、直接、原稿ＯＲ１に照射した光の反射光の正反射成分Ｌ１３が光電変換され、読取位置Ｌ１にある原稿ＯＲ１の正反射像を表す画像データが生成される。照射位置Ｌ２に透明板１２０が存在しないことにより、透明板の内部で正反射する光を考慮する必要が無くなる。従って、本変形例によると、より正確に光沢を表す量を取得することができる。
なお、照射位置Ｌ２で原稿台に光を透過させる必要が無いので、原稿台に透明でない材料を用いることができる。
【００５３】
図１２に示す画像読取装置のように、原稿台３２０の上方に光照射手段１１８を配置し、この光照射手段１１８により原稿台３２０の上から原稿ＯＲ１へ光を照射するようにしてもよい。本変形例のイメージスキャナー３００の原稿台３２０は、スキャナー３００の底部に配置され、上面が所定の読取位置Ｌ１、すなわち、原稿ＯＲ１を載置する原稿載置面３２１とされている。読取ユニット１３０は、底面が開口した箱形の筐体１３１に光源１４０、照射側レンズアレイ１５２、受光光学系１４３、及び、イメージセンサー１６０が収容され、読取ユニット駆動部１３２により副走査方向ＤＩ２へ駆動される。光源１４０は、長手方向を主走査方向ＤＩ１へ向けた線光源とされ、原稿載置面３２１に向かって斜め下方に光を放出させるためのカバー１４１が設けられている。受光光学系１４３は、光路変更光学系１５０を副走査方向ＤＩ２へ往復移動させるための案内構造１５８を有している。光路変更光学系１５０には、照射側レンズアレイ１５２、受光側レンズアレイ１５４、イメージセンサー１６０、が設けられている。
【００５４】
光路変更光学系１５０が進入位置Ｌ６にある場合、光源１４０からの光は、照射側レンズアレイ１５２を通過し、透明板を透過せず、直接、原稿ＯＲ１の表面を照射する。原稿ＯＲ１からの反射光の正反射成分Ｌ１３も、透明板を透過せず、受光側レンズアレイ１５４を通過してイメージセンサー１６０へ導かれる。これにより、透明板１２０の影響が排除された反射光の正反射成分Ｌ１３が光電変換され、読取位置Ｌ１にある原稿ＯＲ１の正反射像を表す画像データが生成される。従って、本変形例によっても、より正確に光沢を表す量を取得することができる。
【００５５】
図１３は、変形例に係る画像読取装置で行われる処理をフローチャートにより示している。図５を参照して説明すると、本変形例に係るイメージスキャナーは、イメージセンサーの分光特性を勘案して測色データを生成する測色データ生成部（測色データ生成手段）１８５を備えている。測色データ生成部１８５は、イメージセンサー１６０により生成される電気信号から機器独立色空間で規定され原稿ＯＲ１の正反射像を表す測色データＤＡ４を生成する。機器独立色空間には、国際照明委員会で規定されたＣＩＥ ＸＹＺ色空間、ＣＩＥ Ｌ*ａ*ｂ*色空間、ＣＩＥ Ｌ*ｕ*ｖ*、等がある。従って、測色データＤＡ４は、成分値Ｘ，Ｙ，Ｚ、成分値Ｌ*，ａ*，ｂ*、成分値Ｌ*，ｕ*，ｖ*、等を含む。
【００５６】
制御部１７０は、Ｓ１０８で条件不成立の場合、測色データを生成する指示が操作部１７１ａに操作入力されたか否かを判断する（Ｓ２４２）。スキャナーのユーザーは、スキャナーに測色データを生成させる際、原稿台３２０に原稿を載置した後、測色データを生成する操作を操作部１７１ａで行うことになる。このような操作が行われていなければ、条件不成立となり、図示しない処理を行ってＳ１０２に戻る。条件成立時、制御部１７０は、光源１４０を点灯し（Ｓ２４４）、読取ユニット１３０を所定の速度で副走査方向ＤＩ２へ移動させ（Ｓ２４６）、Ａ／Ｄ変換部１７５からデジタル値を入力して、画素毎にＲ，Ｇ，Ｂ各デジタル値を有する画像データを取得する（Ｓ２４８）。光路変更光学系１５０が進入位置Ｌ６にある場合、生成される画像データは、原稿台３２０に載置された原稿ＯＲ１の正反射像を表す画像データとなる。この画像データは、図７（ａ）で示したような画像処理後の画像データＤＡ１、すなわち、外部の装置へ出力するための画像データＤＡ１でもよいし、Ａ／Ｄ変換部１７５から入力したデジタル値をそのまま用いた画像データなど前記画像処理前の画像データでもよい。
【００５７】
Ｓ２４８の処理後、制御部１７０は、光源１４０を消灯させる（Ｓ２５０）。次に、Ｓ２４８で取得した画像データを機器独立色空間で規定される測色データＤＡ４に変換する（Ｓ２５２）。例えば、Ｓ２４８で取得した画像データの各画素の階調値を（Ｒ，Ｇ，Ｂ）とし、この階調値をＸＹＺ色空間の色成分値Ｘ，Ｙ，Ｚに変換する場合、予め測色値を求めておいた複数のパッチをスキャナー３００に読み取らせて（Ｒ，Ｇ，Ｂ）と（Ｘ，Ｙ，Ｚ）との対応関係を求めて３次元マトリクスＭを決定しておけば、下記の式により色成分値Ｘ，Ｙ，Ｚを算出することができる。
【数１】
2010245918.tif 000003
むろん、他の機器独立色空間の色成分値も同様にして算出することができる。
【００５８】
以上のようにして生成される測色データＤＡ４は、図７（ｃ）に示すように、主走査方向ＤＩ１に対応する方向及び副走査方向ＤＩ２に対応する方向に画素ＰＩ１が整然と並べられ、画素毎にＸ，Ｙ，Ｚなどの各成分の原稿ＯＲ１による反射光の正反射成分を表す階調値を有している。従って、測色データＤＡ４は、イメージセンサー１６０により生成される電気信号から機器独立色空間で規定され原稿ＯＲ１の正反射像を画像として表すデータである。
そして、制御部１７０は、生成した測色データＤＡ４を外部の装置へ出力し（Ｓ２５４）、Ｓ１０２に戻る。
以上説明したように、本変形例によると、光沢を表す量を取得する画像読取装置１００の利便性を向上させることができる。
【００５９】
図１４に示す画像読取装置のように、光源を点光源４４０としてもよい。本変形例のイメージスキャナー４００は、点光源４４０を主走査方向ＤＩ１へ往復移動させる点光源走査構造４４１、点光源４４０を主走査方向ＤＩ１へ往復駆動する光源主走査駆動部４４２、が設けられている。点光源４４０は、原稿載置面１２１に向かって斜め上方に光を放出する。点光源には、ＬＥＤ等を用いることができる。光源主走査駆動部４４２は、サーボモーターを有し、制御部１７０に接続され、制御部１７０の指令に従って点光源４４０の主走査方向ＤＩ１への移動を制御する。点光源４４０が主走査方向ＤＩ１へ繰り返し往復駆動されながら読取ユニット１３０が副走査方向ＤＩ２へ駆動されることにより、光照射手段１１８は、所定の読取位置Ｌ１にある原稿ＯＲ１に対して点光源４４０からの光を主走査方向ＤＩ１及び副走査方向ＤＩ３へ走査させながら該原稿ＯＲ１に照射する。
【００６０】
光路変更光学系１５０が進入位置Ｌ６にある場合、点光源４４０からの光は、図示しない照射側レンズアレイ１５２を通過して原稿ＯＲ１の表面を照射する。原稿ＯＲ１からの反射光の正反射成分Ｌ１３は、受光側レンズアレイ１５４を通過し、ミラー１５５，１５３ｂ，１４５，１４６，１４７，１４８を反射してレンズ１４９を通過し、イメージセンサー１６０へ導かれる。これにより、原稿ＯＲ１からの反射光の正反射成分Ｌ１３が光電変換され、読取位置Ｌ１にある原稿ＯＲ１の正反射像を表す画像データが生成される。従って、本変形例によっても、効率的に光沢を表す量を取得することができる。
なお、点光源からの光を主走査方向へ走査させるためには、点光源を主走査方向へ傾動させたり照射光学系を主走査方向へ移動させたりしてもよい。
【００６１】
以上説明したように、本発明によると、種々の態様により、効率的に光沢を表す量を取得することが可能な画像読取装置、該画像読取装置とコンピューターとを備える画像読取システム、該画像読取装置と印刷装置とを備える印刷システム、該画像読取装置と複写装置とを備える複写システム、該画像読取装置と送信装置とを備える送信システム、画像読取方法、印刷方法、複写方法、送信方法、画像読取プログラム、印刷プログラム、複写プログラム、送信プログラム、及び、これらのプログラムを記録したコンピューター読取可能な記録媒体を提供することができる。
また、本発明は、上述した実施形態や変形例に限られず、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も含まれる。
【符号の説明】
【００６２】
１００，２００，２０１，３００，４００…イメージスキャナー（画像読取装置）、１１０…本体、１１２…原稿カバー、１１８…光照射手段、１１９…受光光学系選択手段、１２０…透明板（原稿台）、１２１…原稿載置面、１３０…読取ユニット、１４０…光源、１４３…受光光学系、１４４…拡散反射受光光学系（正反射受光光学系の一部）、１５０…光路変更光学系（正反射受光光学系の一部）、１５２…照射側レンズアレイ、１５３…遮断部材、１５３ａ…遮断部、１５３ｂ…ミラー部（反射光学系の一部）、１５４…受光側レンズアレイ、１５５…ミラー（反射光学系の一部）、１５８…案内構造、１６０…イメージセンサー、１７０…制御部、１８０…光学系選択制御部、１８１…画像生成部、１８２…ブランク画像生成部（ブランク画像生成手段）、１８３…補正前画像生成部（補正前画像生成手段）、１８４…補正画像生成部（補正画像生成手段）、１８５…測色データ生成部（測色データ生成手段）、１８６…データ出力部、２２０…開口、２４０…原稿送り部（原稿送り手段）、３２０…原稿台、３２１…原稿載置面、４４０…点光源、４４１…点光源走査構造、４４２…光源主走査駆動部、Ｌ１…所定の読取位置、Ｌ２…照射位置、Ｌ６…進入位置、Ｌ７…退避位置、ＯＲ１…原稿。
【図１】
2010245918.tif 000004
【図２】
2010245918.tif 000005
【図３】
2010245918.tif 000006
【図４】
2010245918.tif 000007
【図５】
2010245918.tif 000008
【図６】
2010245918.tif 000009
【図７】
2010245918.tif 000010
【図８】
2010245918.tif 000011
【図９】
2010245918.tif 000012
【図１０】
2010245918.tif 000013
【図１１】
2010245918.tif 000014
【図１２】
2010245918.tif 000015
【図１３】
2010245918.tif 000016
【図１４】
2010245918.tif 000017